【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
式Ｉ、IIおよびIII：
【化１】
2004534797.tif 000001
〔式中、
Ｒ1は、水素、Ｃ3〜Ｃ8シクロアルキル、または非置換であるかまたは１個以上のハロゲン、フェニルおよび／またはＣＮで置換されたＣ1〜Ｃ12アルキルであるか；あるいはＲ1は、Ｃ2〜Ｃ5アルケニルであるか；あるいはＲ1は、非置換であるかまたは１個以上の、Ｃ1〜Ｃ6アルキル、ハロゲン、ＣＮ、ＯＲ3、ＳＲ4および／またはＮＲ5Ｒ6で置換されたフェニルであるか；あるいはＲ1は、Ｃ1〜Ｃ8アルコキシ、ベンジルオキシ；あるいは非置換であるかまたは１個以上の、Ｃ1〜Ｃ6アルキルおよび／またはハロゲンで置換されたフェノキシであり；
Ｒ2およびＲ2′は、互いに独立に、水素；非置換Ｃ1〜Ｃ20アルキルまたは１個以上のハロゲン、ＯＲ3、フェニルおよび／または、ＯＲ3、ＳＲ4および／またはＮＲ5Ｒ6で置換されたフェニルで置換されたＣ1〜Ｃ20アルキルであるか；あるいはＲ2およびＲ2′は、Ｃ3〜Ｃ8シクロアルキルであるか；または１個以上の−Ｏ−で中断され、および／または場合により１個以上のハロゲン、ＯＲ3、フェニルおよび／または、ＯＲ3、ＳＲ4および／またはＮＲ5Ｒ6で置換されたフェニルで置換されたＣ2〜Ｃ20アルキルであるか；あるいはＲ2およびＲ2′は、非置換であるか、または１個以上のＣ1〜Ｃ6アルキル、フェニル、ハロゲン、ＯＲ3、ＳＲ4および／またはＮＲ5Ｒ6で置換されたフェニルであるか；あるいはＲ2およびＲ2′は、Ｃ2〜Ｃ20アルカノイルまたは非置換であるかまたは１個以上のＣ1〜Ｃ6アルキル、フェニル、ＯＲ3、ＳＲ4および／またはＮＲ5Ｒ6で置換されたベンゾイルであるか；あるいはＲ2およびＲ2′は、場合により１個以上の−Ｏ−で中断され、および／または場合により１個以上のヒドロキシル基で置換されたＣ2〜Ｃ12アルコキシカルボニルであるか；あるいはＲ2およびＲ2′は、非置換であるかまたはＣ1〜Ｃ6アルキル、ハロゲン、フェニル、ＯＲ3、ＳＲ4および／またはＮＲ5Ｒ6で置換されたフェノキシカルボニルであるか；あるいはＲ2およびＲ2′は、ＣＮ、−ＣＯＮＲ5Ｒ6、ＮＯ2、Ｃ1〜Ｃ4ハロアルキル、Ｓ（Ｏ）ｍ−Ｃ1〜Ｃ6アルキルであるか；場合によりＣ1〜Ｃ12アルキルまたはＳ（Ｏ）2−Ｃ1〜Ｃ6アルキルで置換されたＳ（Ｏ）ｍ−フェニルであるか；または場合によりＣ1〜Ｃ12アルキルで置換されたＳＯ2Ｏ−フェニル；またはジフェニルホスフィノイルまたはジ−（Ｃ1〜Ｃ4アルコキシ）−ホスフィノイルであるか；あるいはＲ2およびＲ2′は、
【化２】
2004534797.tif 000002
の基であり；
Ａｒ1は、各々、ハロゲン、Ｃ1〜Ｃ12アルキル、Ｃ3〜Ｃ8シクロアルキル、ベンジルおよび／またはフェノキシカルボニルで１〜７回置換されたか；あるいは各々、フェニルで、または１個以上のＯＲ3、ＳＲ4および／またはＮＲ5Ｒ6で置換されたフェニルで置換されたか；あるいは各々、場合により１個以上の−Ｏ−で中断され、および／または場合により１個以上のヒドロキシル基で置換されたＣ2〜Ｃ12アルコキシカルボニルで置換されたか；あるいは各々、ＯＲ3、ＳＲ4、ＳＯＲ4、ＳＯ2Ｒ4および／またはＮＲ5Ｒ6で置換されたか（ここで、置換基ＯＲ3、ＳＲ4またはＮＲ5Ｒ6は場合により基Ｒ3、Ｒ4、Ｒ5および／またはＲ6を介して、フェニルもしくはナフチル環上のさらなる置換基とともに五員環もしくは六員環を形成する）；あるいは各々、基
【化３】
2004534797.tif 000003
で置換された、フェニル、ナフチル、ベンゾイルまたはナフトイルであるが；
ただし、Ｒ2が基（Ａ）、（Ｂ）または（Ｃ）ではない場合には、Ａｒ1は、少なくとも１個の基−（ＣＯ）Ｒ7、（Ｄ）、（Ｅ）または（Ｆ）で置換されたフェニル、ナフチル、ベンゾイルまたはナフトイルであり；
Ａｒ2は、各々、ハロゲン、Ｃ1〜Ｃ12アルキル、Ｃ3〜Ｃ8シクロアルキル、ベンジル、ＯＲ3、ＳＲ4、ＳＯＲ4、ＳＯ2Ｒ4および／またはＮＲ5Ｒ6で１〜４回置換された；あるいは各々、基−（ＣＯ）Ｒ7、（Ｄ）、（Ｅ）または（Ｆ）で置換された、フェニレン、ナフチレン、フェニレンジカルボニルまたはナフチレンジカルボニルであるが；
ただし、Ｒ2またはＲ2′が基（Ａ）、（Ｂ）または（Ｃ）ではなくかつＡｒ2がフェニレン、ナフチレン、フェニレンジカルボニルまたはナフチレンジカルボニルである場合には、Ａｒ2は、少なくとも１個の基−（ＣＯ）Ｒ7、（Ｄ）、（Ｅ）または（Ｆ）で置換されているか；
Ｒ2が、水素または各々、少なくとも１個の基−（ＣＯ）Ｒ7、（Ｄ）、（Ｅ）または（Ｆ）で置換された、基（Ａ）、（Ｂ）または（Ｃ）ではない場合には、Ａｒ2はさらに、各々、非置換であるか、またはハロゲン、Ｃ1〜Ｃ12アルキル、ベンジル、ＯＲ3、ＳＲ4および／またはＮＲ5Ｒ6で１〜４回置換されたか；あるいは各々、基−（ＣＯ）Ｒ7、（Ｄ）、（Ｅ）または（Ｆ）で置換された、
【化４】
2004534797.tif 000004
であるか；
Ｒ2が、基（Ａ）、（Ｂ）または（Ｃ）である場合には、Ａｒ2はさらに、各々、非置換であるかまたはハロゲン、Ｃ1〜Ｃ12アルキル、ベンジル、ＯＲ3、ＳＲ4および／またはＮＲ5Ｒ6で１〜４回置換されたか；あるいは各々、基−（ＣＯ）Ｒ7、（Ｄ）、（Ｅ）または（Ｆ）で置換された、
【化５】
2004534797.tif 000005
であり；
あるいはＡｒ2は、各々、非置換であるかまたはハロゲン、Ｃ1〜Ｃ12アルキル、ベンジル、ＯＲ3、ＳＲ4および／またはＮＲ5Ｒ6で１〜６回置換されたか（ここで、置換基ＯＲ3、ＳＲ4またはＮＲ5Ｒ6は場合により基Ｒ3、Ｒ4、Ｒ5および／またはＲ6を介して、フェニルもしくはナフチル環のさらなる置換基とともに五員環もしくは六員環を形成する）；あるいは各々、基−（ＣＯ）Ｒ7、（Ｄ）、（Ｅ）または（Ｆ）で置換された、
【化６】
2004534797.tif 000006
であり；
Ａｒ3は、各々、ハロゲン、Ｃ1〜Ｃ12アルキル、Ｃ3〜Ｃ8シクロアルキル、ベンジルおよび／またはフェノキシカルボニルで１〜７回置換されたか；あるいは各々、フェニルでかまたは１個以上のＯＲ3、ＳＲ4および／またはＮＲ5Ｒ6で置換されたフェニルで置換されたか；あるいは各々、場合により１個以上の−Ｏ−で中断され、および／または場合により１個以上のヒドロキシル基で置換されたＣ2〜Ｃ12アルコキシカルボニルで置換されたか；あるいは各々、ＯＲ3、ＳＲ4、ＳＯＲ4、ＳＯ2Ｒ4および／またはＮＲ5Ｒ6で置換された、フェニル、ナフチルまたはクマリニルであり；
Ｍ1は、場合により１個以上の−Ｏ−で中断され、および／または場合により１個以上のハロゲン、ＯＲ3、フェニル、またはＯＲ3、ＳＲ4および／またはＮＲ5Ｒ6で置換されたフェニルで置換されたＣ1〜Ｃ20アルキレンであるか；あるいはＭ1は、各々、非置換であるかまたは１個以上のＣ1〜Ｃ6アルキル、フェニル、ハロゲン、ＯＲ3、ＳＲ4および／またはＮＲ5Ｒ6で置換された、フェニレンまたはナフチレンであるか；あるいはＭ1は、ハロゲン、Ｃ1〜Ｃ12アルキル、ベンジル、ＯＲ3、ＳＲ4、ＳＯＲ4、ＳＯ2Ｒ4および／またはＮＲ5Ｒ6で場合により１〜４回置換された、基
【化７】
2004534797.tif 000007
であるか（ここで、置換基ＯＲ3、ＳＲ4またはＮＲ5Ｒ6は場合により基Ｒ3、Ｒ4、Ｒ5および／またはＲ6を介して、他のフェニル環の炭素原子の一つとともに五員環もしくは六員環を形成する）；
ただし、Ａｒ1が、各々、基−（ＣＯ）Ｒ7、（Ｄ）、（Ｅ）または（Ｆ）で置換されていない、フェニル、ナフチル、ベンゾイルまたはナフトイルである場合には、Ｍ1は、ハロゲン、Ｃ1〜Ｃ12アルキル、ベンジル、ＯＲ3、ＳＲ4、ＳＯＲ4、ＳＯ2Ｒ4および／またはＮＲ5Ｒ6で場合により１〜４回置換された、基（Ｇ）または（Ｈ）であり（ここで、置換基ＯＲ3、ＳＲ4またはＮＲ5Ｒ6は場合により基Ｒ3、Ｒ4、Ｒ5および／またはＲ6を介して、他のフェニル環の炭素原子の一つとともに五員環もしくは六員環を形成する）；
Ｍ2は、直接結合、Ｃ1〜Ｃ10アルキレンまたはシクロヘキシレンであるか；あるいはＭ2は、各々、場合により１個以上の−Ｏ−で中断され、および／または場合により１個以上のハロゲン、ＯＲ3、フェニル、またはＯＲ3、ＳＲ4および／またはＮＲ5Ｒ6で置換されたフェニルで置換された、Ｃ1〜Ｃ10アルキレンまたはＣ1〜Ｃ10アルキレン−Ｘ−であるか；あるいはＭ2は、各々、非置換であるかまたは１個以上のＣ1〜Ｃ6アルキル、フェニル、ハロゲン、ＯＲ3、ＳＲ4および／またはＮＲ5Ｒ6で置換された、フェニレン、ナフチレンまたはフェニレン−Ｘ−であるか；あるいはＭ2は、Ｃ1〜Ｃ10アルキレン−Ｃ（Ｏ）−Ｘ−、Ｃ1〜Ｃ10アルキレン−Ｘ−Ｃ（Ｏ）−、フェニレン−Ｃ（Ｏ）−Ｘ−またはＣ1〜Ｃ10アルキレン−フェニレン−Ｘ−であり；
Ｍ3およびＭ3′は、互いに独立に、直接結合、Ｃ1〜Ｃ10アルキレンまたはシクロヘキシレンであるか；あるいはＭ3およびＭ3′は、各々、場合により１個以上の−Ｏ−で中断され、および／または場合により１個以上のハロゲン、ＯＲ3、フェニル、またはＯＲ3、ＳＲ4および／またはＮＲ5Ｒ6で置換されたフェニルで置換された、Ｃ1〜Ｃ10アルキレンまたはＣ1〜Ｃ10アルキレン−Ｘ−であるか；あるいはＭ3およびＭ3′は、各々、非置換であるかまたは１個以上のＣ1〜Ｃ6アルキル、フェニル、ハロゲン、ＯＲ3、ＳＲ4および／またはＮＲ5Ｒ6で置換された、フェニレン、ナフチレンまたはフェニレン−Ｘ−であるか；あるいはＭ3およびＭ3′は、Ｃ1〜Ｃ10アルキレン−Ｃ（Ｏ）−Ｘ−、Ｃ1〜Ｃ10アルキレン−Ｘ−Ｃ（Ｏ）−、フェニレン−Ｃ（Ｏ）−Ｘ−、Ｃ1〜Ｃ10アルキレン−フェニレン−Ｘ−またはフェニレン−（ＣＯ）−フェニレンであるか；
ただし、Ａｒ1が、各々、基−（ＣＯ）Ｒ7、（Ｄ）、（Ｅ）または（Ｆ）で置換されていない、ナフチル、ナフトイルまたは２−Ｒ3Ｏ−フェニルである場合には、Ｍ3およびＭ3′は、Ｃ1〜Ｃ10アルキレン−Ｘ−、フェニレン−Ｘ−またはＣ1〜Ｃ10アルキレン−フェニレン−Ｘ−ではなく；
Ｍ4およびＭ4′は、互いに独立に、直接結合、−Ｏ−、−Ｓ−、−ＮＲ5′−または−ＣＯ−であるか；あるいはＭ4およびＭ4′は、場合により１個以上の−Ｏ−で中断され、および／または場合により１個以上のハロゲン、ＯＲ3、フェニル、またはＯＲ3、ＳＲ4および／またはＮＲ5Ｒ6で置換されたフェニルで置換された、−Ｙ−（Ｃ1〜Ｃ10アルキレン）−Ｙ′−であるか；あるいはＭ4およびＭ4′は、各々、非置換であるかまたは１個以上のＣ1〜Ｃ6アルキル、フェニル、ハロゲン、ＯＲ3、ＳＲ4および／またはＮＲ5Ｒ6で置換された、−Ｙ−フェニレン−Ｙ′−または−Ｙ−ナフチレン−Ｙ′−であるか；あるいはＭ4およびＭ4′は、−Ｙ−（Ｃ1〜Ｃ4アルキレン）−Ｏ−フェニレン−Ｏ−（Ｃ1〜Ｃ4アルキレン）−Ｙ′−または−Ｙ−（Ｃ1〜Ｃ4アルキレン）−Ｏ−ナフチレン−Ｏ−（Ｃ1〜Ｃ4アルキレン）−Ｙ′−であるか；あるいはＭ4およびＭ4′は、場合により１個以上の−Ｏ−で中断された、−Ｘ−Ｃ1〜Ｃ10アルキレン−Ｘ−Ｃ（Ｏ）−であるか；あるいはＭ4およびＭ4′は、ハロゲン、Ｃ1〜Ｃ12アルキル、ベンジル、ＯＲ3、ＳＲ4、ＳＯＲ4、ＳＯ2Ｒ4および／またはＮＲ5Ｒ6で場合により１〜４回置換された、基
【化８】
2004534797.tif 000008
であり（ここで、置換基ＯＲ3、ＳＲ4またはＮＲ5Ｒ6は、場合により基Ｒ3、Ｒ4、Ｒ5および／またはＲ6を介して、他のフェニル環の炭素原子の一つまたはこの基に結合したフェニルもしくはナフチル環のそれとともに五員環もしくは六員環を形成する）；
Ｍ4″は、直接結合、−Ｏ−、−Ｓ−、−ＮＲ5′−または−ＣＯ−であるか；あるいはＭ4″は、場合により１個以上の−Ｏ−で中断され、および／または場合により１個以上のハロゲン、ＯＲ3、フェニル、またはＯＲ3、ＳＲ4および／またはＮＲ5Ｒ6で置換されたフェニルで置換された、−Ｙ−（Ｃ1〜Ｃ10アルキレン）−Ｙ′−であるか；あるいはＭ4″は、各々、非置換であるかまたは１個以上のＣ1〜Ｃ6アルキル、フェニル、ハロゲン、ＯＲ3、ＳＲ4および／またはＮＲ5Ｒ6で置換された、−Ｙ−フェニレン−Ｙ′−または−Ｙ−ナフチレン−Ｙ′−であるか；あるいはＭ4″は、場合により１個以上の−Ｏ−で中断された、−Ｘ−Ｃ1〜Ｃ10アルキレン−Ｘ−Ｃ（Ｏ）−であり；
ＸおよびＸ′は、互いに独立に、−Ｏ−、−Ｓ−または−ＮＲ5−であり；
ＹおよびＹ′は、互いに独立に、直接結合、−Ｏ−、−Ｓ−または−ＮＲ5−であり；
Ｒ3は、水素、Ｃ1〜Ｃ20アルキルまたはフェニル−Ｃ1〜Ｃ3アルキルであるか；あるいはＲ3は、−ＯＨ、−ＳＨ、−ＣＮ、Ｃ3〜Ｃ6アルケノキシ、−ＯＣＨ2ＣＨ2ＣＮ、−ＯＣＨ2ＣＨ2（ＣＯ）Ｏ（Ｃ1〜Ｃ4アルキル）、−Ｏ（ＣＯ）−（Ｃ1〜Ｃ4アルキル）、−Ｏ（ＣＯ）−フェニル、−（ＣＯ）ＯＨおよび／または−（ＣＯ）Ｏ（Ｃ1〜Ｃ4アルキル）で置換されたＣ1〜Ｃ8アルキルであるか；あるいはＲ3は、１個以上の−Ｏ−で中断されたＣ2〜Ｃ12アルキルであるか；あるいはＲ3は、−（ＣＨ2ＣＨ2Ｏ）n+1Ｈ、−（ＣＨ2ＣＨ2Ｏ）n（ＣＯ）−（Ｃ1〜Ｃ8アルキル）、Ｃ1〜Ｃ8アルカノイル、Ｃ2〜Ｃ12アルケニル、Ｃ3〜Ｃ6アルケノイル、Ｃ3〜Ｃ8シクロアルキルであるか；あるいはＲ3は、非置換であるかまたは１個以上のＣ1〜Ｃ6アルキル、ハロゲン、−ＯＨおよび／またはＣ1〜Ｃ4アルコキシで置換されたベンゾイルであるか；あるいはＲ3は、各々、非置換であるかまたはハロゲン、−ＯＨ、Ｃ1〜Ｃ12アルキル、Ｃ1〜Ｃ12アルコキシ、フェノキシ、Ｃ1〜Ｃ12アルキルスルファニル、フェニルスルファニル、−Ｎ（Ｃ1〜Ｃ12アルキル）2および／またはジフェニルアミノで置換されたフェニルまたはナフチルであり；
ｎは、１〜２０であり；
Ｒ4は、水素、Ｃ1〜Ｃ20アルキル、Ｃ2〜Ｃ12アルケニル、Ｃ3〜Ｃ8シクロアルキル、フェニル−Ｃ1〜Ｃ3アルキルであるか；あるいはＲ4は、−ＯＨ、−ＳＨ、−ＣＮ、Ｃ3〜Ｃ6アルケノキシ、−ＯＣＨ2ＣＨ2ＣＮ、−ＯＣＨ2ＣＨ2（ＣＯ）Ｏ（Ｃ1〜Ｃ4アルキル）、−Ｏ（ＣＯ）−（Ｃ1〜Ｃ4アルキル）、−Ｏ（ＣＯ）−フェニル、−（ＣＯ）ＯＨまたは−（ＣＯ）Ｏ（Ｃ1〜Ｃ4アルキル）で置換されたＣ1〜Ｃ8アルキルであるか；あるいはＲ4は、１個以上の−Ｏ−または−Ｓ−で中断されたＣ2〜Ｃ12アルキルであるか；あるいはＲ4は、−（ＣＨ2ＣＨ2Ｏ）n+1Ｈ、−（ＣＨ2ＣＨ2Ｏ）n（ＣＯ）−（Ｃ1〜Ｃ8アルキル）、Ｃ1〜Ｃ8アルカノイル、Ｃ2〜Ｃ12アルケニル、Ｃ3〜Ｃ6アルケノイルであるか；あるいはＲ4は、非置換であるかまたは１個以上のＣ1〜Ｃ6アルキル、ハロゲン、−ＯＨ、Ｃ1〜Ｃ4アルコキシまたはＣ1〜Ｃ4アルキルスルファニルで置換されたベンゾイルであるか；あるいはＲ4は、各々、非置換であるか、またはハロゲン、Ｃ1〜Ｃ12アルキル、Ｃ1〜Ｃ12アルコキシ、フェニル−Ｃ1〜Ｃ3アルキルオキシ、フェノキシ、Ｃ1〜Ｃ12アルキルスルファニル、フェニルスルファニル、−Ｎ（Ｃ1〜Ｃ12アルキル）2、ジフェニルアミノ、−（ＣＯ）Ｏ（Ｃ1〜Ｃ8アルキル）、−（ＣＯ）−Ｃ1〜Ｃ8アルキルまたは（ＣＯ）Ｎ（Ｃ1〜Ｃ8アルキル）2で置換されたフェニルまたはナフチルであり；
Ｒ5およびＲ6は、互いに独立に、水素、Ｃ1〜Ｃ20アルキル、Ｃ2〜Ｃ4ヒドロキシアルキル、Ｃ2〜Ｃ10アルコキシアルキル、Ｃ2〜Ｃ5アルケニル、Ｃ3〜Ｃ8シクロアルキル、フェニル−Ｃ1〜Ｃ3アルキル、Ｃ1〜Ｃ8アルカノイル、Ｃ3〜Ｃ12アルケノイル、ベンゾイルであるか；あるいはＲ5およびＲ6は、各々、非置換であるかまたはＣ1〜Ｃ12アルキル、ベンゾイルまたはＣ1〜Ｃ12アルコキシで置換されたフェニルまたはナフチルであるか；あるいはＲ5およびＲ6は、一緒になって、場合により−Ｏ−または−ＮＲ3−で中断された、および／または場合によりヒドロキシ、Ｃ1〜Ｃ4アルコキシ、Ｃ2〜Ｃ4アルカノイルオキシまたはベンゾイルオキシで置換されたＣ2〜Ｃ6アルキレンであり；
Ｒ5′は、水素、Ｃ1〜Ｃ20アルキル、Ｃ2〜Ｃ4ヒドロキシアルキル、Ｃ2〜Ｃ10アルコキシアルキル、Ｃ2〜Ｃ5アルケニル、Ｃ3〜Ｃ8シクロアルキル、フェニル−Ｃ1〜Ｃ3アルキル、Ｃ2〜Ｃ8アルカノイル、Ｃ3〜Ｃ12アルケノイル、ベンゾイルであるか；あるいはＲ5′は、各々、非置換であるかまたはＣ1〜Ｃ12アルキルまたはＣ1〜Ｃ12アルコキシで置換されたフェニルまたはナフチルであるか；あるいはＲ5′は、基
【化９】
2004534797.tif 000009
であり；
Ｒ7は、水素、Ｃ1〜Ｃ20アルキルであるか；ハロゲン、フェニル、−ＯＨ、−ＳＨ、−ＣＮ、Ｃ3〜Ｃ6アルケノキシ、−ＯＣＨ2ＣＨ2ＣＮ、−ＯＣＨ2ＣＨ2（ＣＯ）Ｏ（Ｃ1〜Ｃ4アルキル）、−Ｏ（ＣＯ）−（Ｃ1〜Ｃ4アルキル）、−Ｏ（ＣＯ）−フェニル、−（ＣＯ）ＯＨまたは−（ＣＯ）Ｏ（Ｃ1〜Ｃ4アルキル）で置換されたＣ1〜Ｃ8アルキルであるか；あるいはＲ7は、１個以上の−Ｏ−で中断されたＣ2〜Ｃ12アルキルであるか；あるいはＲ7は、−（ＣＨ2ＣＨ2Ｏ）n+1Ｈ、−（ＣＨ2ＣＨ2Ｏ）n（ＣＯ）−（Ｃ1〜Ｃ8アルキル）、Ｃ2〜Ｃ12アルケニルまたはＣ3〜Ｃ8シクロアルキルであるか；あるいはＲ7は、各々、場合により１個以上のＣ1〜Ｃ6アルキル、ハロゲン、ＣＮ、ＯＲ3、ＳＲ4、ＳＯＲ4、ＳＯ2Ｒ4またはＮＲ5Ｒ6で置換されたフェニル、ビフェニリルまたはナフチルであり（ここで、置換基ＯＲ3、ＳＲ4またはＮＲ5Ｒ6は、場合により基Ｒ3、Ｒ4、Ｒ5および／またはＲ6を介して、そのフェニル、ビフェニリルまたはナフチル環の炭素原子の一つとともに五員環もしくは六員環を形成する）；
Ｒ8、Ｒ9、Ｒ8′、およびＲ9′は、互いに独立に、水素、場合により１個以上のハロゲン、フェニル、ＣＮ、−ＯＨ、−ＳＨ、Ｃ1〜Ｃ4アルコキシ、−（ＣＯ）ＯＨまたは−（ＣＯ）Ｏ（Ｃ1〜Ｃ4アルキル）で置換されたＣ1〜Ｃ12アルキルであるか；あるいはＲ8、Ｒ9、Ｒ8′、およびＲ9′は、場合により１個以上のＣ1〜Ｃ6アルキル、ハロゲン、ＣＮ、ＯＲ3、ＳＲ4またはＮＲ5Ｒ6で置換されたフェニルであるか；あるいはＲ8、Ｒ9、Ｒ8′、およびＲ9′は、ハロゲン、ＣＮ、ＯＲ3、ＳＲ4、ＳＯＲ4、ＳＯ2Ｒ4またはＮＲ5Ｒ6であるか（ここで、置換基ＯＲ3、ＳＲ4またはＮＲ5Ｒ6は、場合により基Ｒ3、Ｒ4、Ｒ5および／またはＲ6を介して、Ａｒ1のフェニル、ナフチル、ベンゾイルもしくはナフトイル基の炭素原子の一つまたは置換基Ｒ7のそれまたはＭ3のナフチレンもしくはフェニレン基の炭素原子の一つとともに五員環もしくは六員環を形成する）；あるいはＲ8とＲ9またはＲ8′とＲ9′は、一緒になって、基
【化１０】
2004534797.tif 000010
であり；
Ｒ10、Ｒ11、Ｒ12、およびＲ13は、互いに独立に、水素、場合により１個以上のハロゲン、フェニル、ＣＮ、−ＯＨ、−ＳＨ、Ｃ1〜Ｃ4アルコキシ、−（ＣＯ）ＯＨまたは−（ＣＯ）Ｏ（Ｃ1〜Ｃ4アルキル）で置換されたＣ1〜Ｃ12アルキルであるか；あるいはＲ10、Ｒ11、Ｒ12、およびＲ13は、場合により１個以上のＣ1〜Ｃ6アルキル、ハロゲン、ＣＮ、ＯＲ3、ＳＲ4またはＮＲ5Ｒ6で置換されたフェニルであるか；あるいはＲ10、Ｒ11、Ｒ12、およびＲ13は、ハロゲン、ＣＮ、ＯＲ3、ＳＲ4またはＮＲ5Ｒ6であり；そして
Ｒ14およびＲ15は、互いに独立に、水素、場合により１個以上のハロゲン、フェニル、ＣＮ、−ＯＨ、−ＳＨ、Ｃ1〜Ｃ4アルコキシ、−（ＣＯ）ＯＨまたは−（ＣＯ）Ｏ（Ｃ1〜Ｃ4アルキル）で置換されたＣ1〜Ｃ12アルキルであるか；あるいはＲ14およびＲ15は、場合により１個以上のＣ1〜Ｃ6アルキル、ハロゲン、ＣＮ、ＯＲ3、ＳＲ4またはＮＲ5Ｒ6で置換されたフェニルであるが；
ただし、
（ｉ）Ａｒ1が、基（Ｅ）で置換されているが基（Ｄ）または（Ｆ）ではさらには置換されていないフェニルであり、そしてＲ2が水素である場合、Ｍ4は直接結合、ＳまたはＮＲ5ではなく；
（ii）Ａｒ1が、基（Ｅ）で置換されているが基（Ｄ）または（Ｆ）ではさらには置換されていないナフチルである場合、Ｍ4は、直接結合、Ｓ、ＯまたはＮＲ5ではなく；
（iii）Ｍ4が、Ｏであり、そしてＲ2が、水素である場合、Ａｒ1は、基（Ｅ）で置換されているが基（Ｄ）または（Ｆ）ではさらには置換されておらず、そして同時にオルト位がＯＲ3で置換されるかまたはＳＲ4、ＮＲ5Ｒ6、フェニル、−（ＣＯ）Ｒ7もしくはＳＯ2Ｒ4で置換されているフェニルではなく；
（iv）Ａｒ1が、−（ＣＯ）Ｒ7で置換されているが基（Ｄ）または（Ｆ）ではさらには置換されていないフェニルである場合、Ｒ2は、水素ではなく；
（ｖ）Ａｒ1が、−（ＣＯ）Ｒ7で置換されているが基（Ｄ）または（Ｆ）ではさらには置換されていないフェニルであり、そしてＲ2が、水素ではない場合、Ｒ7は、フェニルまたはＣ1〜Ｃ11アルキルではなく；
（vi）Ａｒ1が、−（ＣＯ）Ｒ7で置換されているが基（Ｄ）または（Ｆ）ではさらには置換されていないナフチルである場合、Ｒ7は、フェニルまたはＣ1〜Ｃ11アルキルではない〕
の化合物。
【請求項２】
（ａ）少なくとも１種のエチレン性不飽和光重合性化合物、および
（ｂ）光開始剤として、少なくとも１種の請求項１記載の式Ｉ、IIまたはIIIの化合物、
を含む光重合性組成物。
【請求項３】
光開始剤（ｂ）に加えて、少なくとも１種のさらなる光開始剤（ｃ）および／または他の添加剤（ｄ）を含む、請求項２記載の光重合性組成物。
【請求項４】
色素性又は非色素性塗料又はワニス、粉末コーティング、印刷インク、印刷原版、接着剤、歯科用組成物、ゲルコート、電子工学用のフォトレジスト、例えば電気メッキレジスト、エッチングレジスト、液状および乾燥薄膜の双方、はんだレジストを製造するための；種々の表示用途用のカラーフィルタを製造するためのあるいはプラズマ表示パネル、電気発光表示装置、およびＬＣＤの製造工程において構造を形成するためのレジストとしての；電気及び電子部品を封入するための組成物としての；磁気記録材料、微小機械部品、導波路、光スイッチ、めっき用マスク、エッチングマスク、カラー試験系、ガラス繊維ケーブルコーティング、スクリーン印刷用ステンシルを製造するための；ステレオリトグラフィによって三次元物体を製造するための；そして特にホログラフィ記録用の、画像記録材料、微細電子回路、脱色材料、および画像記録材料のための脱色材料、マイクロカプセルを使用する画像記録材料用の脱色材料としての；ＵＶおよび可視レーザー直接描画系用のフォトレジスト材料としての；プリント回路基板の逐次積層における誘電体層形成に使用するフォトレジスト材料としての、請求項２〜３のいずれか１項記載の組成物。
【請求項５】
少なくとも一方の面を請求項２記載の組成物で被覆された被覆基材。
【請求項６】
請求項５記載の被覆基材を画像のとおりの露光に付したのち、非露光部分を現像液で除去する、レリーフ像の写真的製造方法。
【請求項７】
すべてが透明基板の上に感光性樹脂及び顔料を含む、赤、緑及び青色の画素と黒色のマトリックスとを付与し、かつ該基板の表面またはカラーフィルタ層の表面のいずれかに透明な電極を与えることによって製造されるカラーフィルタであって、該感光性樹脂が、多官能性アクリラート単量体、有機重合体結合剤および請求項１記載の式Ｉ、IIまたは／およびIIIの光重合開始剤を含むカラーフィルタ。